(57)【要約】【課題】タイルを確実に桝目状かつ上向きに揃えて整列させることができるタイル整列方法と、この方法を利用したタイルユニットの製造方法とを提供する。【解決手段】目地枠１の上面には目地仕切堰２に囲まれることにより多数のタイル嵌合部３が桝目状に形成されている。タイル５をタイル嵌合部３の総数よりも多量に目地枠１上に供給し、振動を加える。これにより、タイル５が各タイル嵌合部３に入り込む。また、このタイル嵌合部３に下向きに入ったタイル５は、この振動によりタイル嵌合部３から離脱し、代りに別のタイル５がタイル嵌合部３に入ってくる。タイル嵌合部３に上向きのタイル５が入ってくるまでこれが繰り返される。上向きのタイルは、振動が加えられてもタイル嵌合部３から離脱しない。従って、所定時間が経過すると、すべてのタイル嵌合部３にタイル５が上向きに嵌合した状態となるのでタイル嵌合部３に入っていない余剰のタイル５を取り除く。【選択図】図２
2005336732.tif 000002
【特許請求の範囲】
【請求項１】
桝目状の目地仕切堰によって区画形成されたタイル嵌合部を有する目地枠の該タイル嵌合部にタイルを嵌合させて整列させるタイル整列方法において、
該タイルの木端面のうち少なくともタイル前面側は傾斜面となっており、
該目地枠上にタイル嵌合部の数よりも多数のタイルを供給し、該目地枠に振動を与えてタイルを各タイル嵌合部に嵌合させ、その後、タイル嵌合部に嵌合しなかった余剰のタイルを除去することを特徴とするタイル整列方法。
【請求項２】
請求項１において、タイルの前面のうち該傾斜面以外の部分の幅ｂとタイルの幅ａとの比ｂ／ａが０．８以下であり、
該傾斜面のタイル厚み方向の高さｃとタイル厚みｄとの比ｃ／ｄが０．１５以上であり、
前記目地仕切堰の高さｅと該傾斜面の高さｃとの比ｅ／ｃが１．１〜３．３である
ことを特徴とするタイル整列方法。
【請求項３】
請求項２において、
ｂ／ａが０．５〜０．７であり、
ｃ／ｄが０．２〜０．６であり、
ｅ／ｃが１．５〜２である
ことを特徴とするタイル整列方法。
【請求項４】
請求項１ないし３のいずれか１項において、前記目地枠のタイル嵌合部の数の１〜６倍の数のタイルを目地枠上に供給することを特徴とするタイル整列方法。
【請求項５】
複数枚のタイルを整列させた後、タイル同士をシート又はネットによって連結するタイルユニットの製造方法において、請求項１ないし４のいずれか１項の方法によってタイルを整列させることを特徴とするタイルユニットの製造方法。
【発明の詳細な説明】
【技術分野】
【０００１】
本発明は、複数枚のタイルを桝目状且つ上向きに整列させるタイル整列方法と、この整列方法によってタイルを整列させてタイルユニットを製造する方法とに関する。
【背景技術】
【０００２】
複数枚のタイルを桝目状に整列させ、タイルの前面に紙を接着した紙張りタイルユニットや、各タイルの裏面同士をシートやネットで連結したタイルユニットが広く用いられている。前者の紙張りタイルユニットによれば、壁面にモルタルや接着剤で張り付けた後、紙を剥すことによりタイル張り壁面を得ることができる。後者のシートやネットによって裏打ちされたタイルユニットによれば、そのシートやネットをモルタル、接着剤などを用いて壁面に取り付けることにより、タイル張り壁面を得ることができる。ただし、上記の使用方法は一例であり、タイルユニットはこれら以外の態様でも用いることができる。
【０００３】
タイルユニットを製造する場合には、複数枚のタイルを桝目状に整列させる必要がある。１辺が１０ｃｍ以上程度のタイルであれば、各タイルを上向きに重ねた梱包荷姿にて入荷するので、吸引チャック等を用いてタイルをチャックして桝目状かつ上向きに整列させることが行われている。
【０００４】
ところが、１辺が数ｃｍ以下程度のモザイクタイルと称される小型のタイルの場合、タイルはランダムに袋に収納されて入荷されることが多く、タイルユニット製造工程において各タイルを桝目状かつ上向きに揃える必要がある。
【０００５】
モザイクタイルを桝目状かつ上向きに整列される方法として、実公昭３７−２１５４７号には、モザイクタイルを桝目状枠に上下向きを問わずして嵌合させた後、水平横振りすることにより、下向きのタイルのみを上向きに反転させる方法が記載されている。
【０００６】
第７図は、同号公報で用いられているモザイクタイル１１の側面図、第８図、第９図はタイルの反転工程の説明図である。このモザイクタイル１１は、前面側が円弧状に湾曲（凸曲）している。タイル整列用の軟性合成樹脂製四方枠１２に縦横に金属板１３が立設されている。該金属板１３で仕切られた正方桝目状のスペース内にモザイクタイル１１を上下向きを問わずして嵌合させた後、四方枠１２を水平横振りする。そうすると、モザイクタイル１１の弧状面と軟性合成樹脂製底板２の弾性とが共同して、第８図の如く下向きであったモザイクタイル１１が第９図の如く上向きに反転する。その後、モザイクタイル１１の前面に対し紙１４を水溶性の糊で貼り付けることにより紙貼りモザイクタイルユニットが製造される。
【特許文献１】実公昭３７−２１５４７号公報
【発明の開示】
【発明が解決しようとする課題】
【０００７】
本発明者が上記実公昭３７−２１５４７号公報記載の方法によってモザイクタイルの整列を試みたところ、反転せずに下向きのままのタイルが少なからず残り、これらについては作業員が手で反転させる必要があり、タイル整列効率に劣ることが認められた。
【０００８】
本発明は、タイルを確実に桝目状かつ上向きに揃えて整列させることができるタイル整列方法と、この方法を利用したタイルユニットの製造方法とを提供することを目的とする。
【課題を解決するための手段】
【０００９】
本発明のタイル整列方法は、桝目状の目地仕切堰によって区画形成されたタイル嵌合部を有する目地枠の該タイル嵌合部にタイルを嵌合させて整列させるタイル整列方法において、該タイルの木端面のうち少なくともタイル前面側は傾斜面となっており、該目地枠上にタイル嵌合部の数よりも多数のタイルを供給し、該目地枠に振動を与えてタイルを各タイル嵌合部に嵌合させ、その後、タイル嵌合部に嵌合しなかった余剰のタイルを除去することを特徴とするものである。
【００１０】
本発明のタイルユニットの製造方法は、複数枚のタイルを整列させた後、タイル同士をシート又はネットによって連結するタイルユニットの製造方法において、かかる本発明の整列方法によってタイルを整列させることを特徴とするものである。
【発明の効果】
【００１１】
本発明のタイル整列方法では、目地枠上にタイル嵌合部の数よりも多数のタイルを供給して目地枠に振動を与えると、各タイル嵌合部にタイルが入ると共に、このタイル嵌合部に入ったタイルの上を余剰のタイルが摺動する。タイルが下向き（裏返し）にタイル嵌合部に入っている場合には、このタイル嵌合部に入っているタイルのエッジ部分に余剰タイルが当り、該下向きタイルに対し横向きに強い力が加えられ、下向きのタイルがタイル嵌合部からはみ出し、入れ代りに別のタイルがそのタイル嵌合部に入ってくる。
【００１２】
即ち、タイル嵌合部にタイルが下向きに入っていると、このタイルが横方向の力を受けたときにタイルの傾斜面が目地仕切堰に乗り上げたり、つまずいて反転したりするようにしてタイル嵌合部から離脱する。新たにタイル嵌合部に入ってきたタイルがやはり下向きであったときには、同様にしてタイル嵌合部から離脱する。タイル嵌合部に下向きのタイルが入ってくるまではこの手順が繰り返される。
【００１３】
タイル嵌合部に入っているタイルが上向きであるときには、その上をタイルが摺動しても上向きタイルの傾斜面に対し摺動タイルが当るだけであり、タイル嵌合部に入っている上向きタイルに対し加えられる横方向の力は小さい。また、この上向きタイルの裏側には傾斜面は無いので、該上向きタイルは目地仕切堰に乗り上げたり、つまずいて反転したりすることがなく、タイル嵌合部に入り込んだままとなる。
【００１４】
従って、目地枠上にタイル嵌合の数よりも多数のタイルを供給し、タイル枠に振動を与え続けると、やがてすべてのタイルが上向きとなる。
【００１５】
このようにすべてのタイルが上向きとなった後、タイル嵌合部に入っていない余剰のタイルを取り除くことにより、すべてのタイルが桝目状かつ上向きに整列した整列体となる。この整列体のタイル同士をシート（紙でもよい。）又はネットで連結することによりタイルユニットが得られる。
【発明を実施するための最良の形態】
【００１６】
以下、図面を参照して本発明のタイル整列方法及びタイルユニットの製造方法についてさらに詳細に説明する。
【００１７】
第１図（ａ）は本発明のタイル整列方法に用いられる目地枠の斜視図、第１図（ｂ）は同（ａ）の部分拡大図、第２図及び第３図は整列工程の説明図、第４図（ａ）はタイルの側面図、第４図（ｂ）はタイルと目地仕切堰との関係を示す側面図、第５図は目地枠上で整列したタイルの側面図である。
【００１８】
第１図の通り、この目地枠１の上面には井桁状の目地仕切堰２が設置されており、この目地仕切堰２に囲まれることにより多数のタイル嵌合部３が桝目状に形成されている。
【００１９】
この目地枠１は方形であり、その４辺を囲むようにして囲枠４が設けられている。
【００２０】
タイル５は、第４図の通り、前縁側を面落しした形状のものであり、木端面５Ａのうち前面が傾斜面５Ｂとなっているモザイクタイルである。
【００２１】
タイル５の幅をａとし、タイル５の前面のうち傾斜面５Ｂを除いた部分の幅をｂとした場合、ｂ／ａは０．８以下特に０．５〜０．７とりわけ０．６〜０．７が好ましい。ｂ／ａは０であってもよい。
【００２２】
タイル５の厚みをｄとし、タイル５の傾斜面部分の厚みをｃとした場合、ｃ／ｄは０．１５以上特に０．２〜０．６が好ましい。ｃ／ｄは１であってもよい。
【００２３】
目地仕切堰２の高さをｅとした場合、ｅ／ｃは１．１〜３．３特に１．５〜２．０とりわけ約１．８であることが好ましい。これらの比率とすることにより、下向きにタイル嵌合部３に入り込んだタイル５が目地仕切堰２に乗り上げたり、つまずいて反転したりするようにしてタイル嵌合部３から離脱すると共に、上向きにタイル嵌合部３に入っているタイル５は該タイル嵌合部３から離脱しないようになる。
【００２４】
タイル５の一辺の寸法ａは１０〜３０ｍｍ程度が好適である。
【００２５】
このタイル５を、第２図の通りタイル嵌合部３の総数よりも多量に、好ましくはタイル嵌合部の数の１〜６倍特に好ましくは２〜３倍の数だけ目地枠１上に供給し、次いで好ましくは第３図の如く蓋６を被せ、振動を加える。これにより、タイル５が各タイル嵌合部３に入り込む。また、このタイル嵌合部３に第４図の如く下向きに入ったタイル５は、この振動により目地仕切堰２を乗り越えたり、つまずいて反転したりするようにしてタイル嵌合部３から離脱し、代りに別のタイル５がタイル嵌合部３に入ってくる。タイル嵌合部３に上向きのタイル５が入ってくるまでこれが繰り返される。タイル嵌合部３に上向きに入っているタイルは、振動が加えられてもタイル嵌合部３から離脱しない。
【００２６】
従って、振動を開始してから所定時間が経過すると、第５図の如く、すべてのタイル嵌合部３にタイル５が上向きに嵌合した状態となる。そこで、蓋６を取り外し、タイル嵌合部３に入っていない余剰のタイル５を取り除くことにより、タイル整列体が得られる。このタイル整列体のタイル５同士をシートやネットで連結することによりタイルユニットが得られる。
【００２７】
なお、目地枠１は水平方向に振動させるのが好ましいが、旋回させてもよい。
【００２８】
上記の説明はバッチ式の整列方法に関するものであるが、本発明は連続式に行ってもよい。第６図はその一例を示すものであり、上向き面に目地仕切堰２が形成されたコンベヤ７が連続的に移動され、その上にホッパ８からタイル５が供給される。ホッパ８からのタイル供給域の下側にはバイブレータ９が設置され、コンベヤ７に対し振動が加えられる。この振動により、目地仕切堰２の各タイル嵌合部３に対しタイル５が上向きに嵌合する。
【００２９】
なお、第６図の通り、コンベヤ７の上流側を下方に傾斜させ、この傾斜部分の下側にもバイブレータ９を設置するのが好ましい。この場合、ホッパ８からのタイル５がこの傾斜に沿ってコンベヤ７の上流側まで供給され、かつこの上流側もバイブレータ９により振動が与えられるため、コンベヤ７上のタイル５に振動を与える距離を長くすることができ、嵌合率を高めることができる。バッチ式（連続的にタイルを供給するのではなく、単発で（間欠的に）タイルを供給する）を用いた場合でもタイルの嵌合率を高めることができる。
【００３０】
なお、目地仕切堰２付きのコンベヤ７の代りに、多数の目地枠１を連ねて連続的に次々とホッパ８の下側をくぐらせるようにして移動させてもよい。
【００３１】
タイル５は施釉されていてもよく、施釉されていなくてもよい。
【図面の簡単な説明】
【００３２】
【図１】第１図（ａ）は本発明のタイル整列方法に用いられる目地枠の斜視図、第１図（ｂ）は同（ａ）の部分拡大図である。
【図２】整列工程の説明図である。
【図３】整列工程の説明図である。
【図４】第４図（ａ）はタイルの側面図、第４図（ｂ）はタイルと目地仕切堰との関係を示す側面図である。
【図５】目地枠上で整列したタイルの側面図である。
【図６】別の実施の形態を示す側面図である。
【図７】従来例のタイル整列方法に用いられるタイルの側面図である。
【図８】従来例のタイル整列方法の説明図である。
【図９】従来例のタイル整列方法の説明図である。
【符号の説明】
【００３３】
１  目地枠
２  目地仕切堰
３  タイル嵌合部
４  囲枠
５  タイル
６  蓋
７  コンベヤ
８  ホッパ
９  バイブレータ
【図１】
2005336732.tif 000003
【図２】
2005336732.tif 000004
【図３】
2005336732.tif 000005
【図４】
2005336732.tif 000006
【図５】
2005336732.tif 000007
【図６】
2005336732.tif 000008
【図７】
2005336732.tif 000009
【図８】
2005336732.tif 000010
【図９】
2005336732.tif 000011